(57)【要約】【課題】ホールカウンタにおける静電気の除去を効果的に行う。【解決手段】接近物検知センサ１０に遊技客が近づくと、この接近物検知センサ１０から制御手段２０へ検知信号が送られる。制御手段２０において、検知信号が受け取られると、静電気除去手段３０へ動作制御信号が送られる。静電気除去手段３０において、この受け取った動作制御信号にもとづき、ホールカウンタＡや遊技周辺装置Ｂへイオンが供給されて静電気が除去される。その後、遊技客が遠のくと、接近物検知センサ１０から制御手段２０への検知信号が停止される。このため、制御手段２０による静電気除去手段３０の動作制御が停止する。【選択図】　　　図１
2004073435.tif 000002
【特許請求の範囲】
【請求項１】
ホールカウンタ付近に位置する人及び／又は遊技周辺装置に帯電した静電気を、イオンの供給により除去する静電気除去手段と、
前記ホールカウンタ付近に位置する人を検知する一又は二以上の接近物検知センサと、
この接近物検知センサからの検知信号にもとづいて、前記静電気除去手段を動作させる制御手段とを有した
ことを特徴とするホールカウンタ用静電気除去装置。
【請求項２】
前記遊技周辺装置が、前記ホールカウンタに設置された景品交換ＰＯＳ及び／又は遊技媒体計数機を含む
ことを特徴とする請求項１記載のホールカウンタ用静電気除去装置。
【請求項３】
前記静電気除去手段が、前記ホールカウンタ、このホールカウンタ付近に位置する人及び／又は前記遊技周辺装置の全体又は一部に対して前記イオンを供給する位置に設置された
ことを特徴とする請求項１又は２記載のホールカウンタ用静電気除去装置。
【請求項４】
前記接近物検知センサが、前記ホールカウンタの前面及び／又は側面に設けられた
ことを特徴とする請求項１，２又は３記載のホールカウンタ用静電気除去装置。
【請求項５】
前記接近物検知センサが、赤外線センサなどの光センサからなる
ことを特徴とする請求項１，２，３又は４記載のホールカウンタ用静電気除去装置。
【請求項６】
前記制御手段が、前記検知信号を受けると、所定時間、前記静電気除去手段を動作させる
ことを特徴とする請求項１〜５のいずれかに記載のホールカウンタ用静電気除去装置。
【請求項７】
前記制御手段が、前記静電気除去手段の動作を終了すると、少なくとも一定時間は前記静電気除去手段の動作を停止させる
ことを特徴とする請求項１〜６のいずれかに記載のホールカウンタ用静電気除去装置。
【発明の詳細な説明】
【０００１】
【発明の属する技術分野】
本発明は、静電気除去装置に関し、特に、ホールカウンタ等へイオンを供給して静電気を除去するホールカウンタ用静電気除去装置に関する。
【０００２】
【従来の技術】
遊技ホールには、景品交換を行うためのホールカウンタが設けられている。
このホールカウンタには、景品交換を管理するための景品交換ＰＯＳ等が設置されている。
また、遊技ホール内には、遊技媒体（パチンコ機に用いるパチンコ玉やスロットマシン機に用いるメダル）の数量をカウントする遊技媒体計数機（以下、略して「計数機」という）が設けられている。
【０００３】
遊技客は、遊技を終了すると、獲得した遊技媒体の数量を、計数機を用いてカウントし、このカウント値が記載されたチケットを発券機から受け取る。
そして、遊技客は、ホールカウンタにおいて、そのチケットをホール店員に渡す。ホール店員は、受け取ったチケットの記載にもとづいて、景品交換ＰＯＳを操作し、遊技客への景品の引き渡しを行う。
【０００４】
ところで、遊技ホール内は、遊技客が快適に遊技を楽しめるように、空調設備が整えられている。このため、遊技ホール内は、湿度が抑えられ、乾燥した環境にある。
この環境下において、遊技媒体同士あるいは遊技媒体と計数機の機体とが接触・摩擦すると、静電気が多く発生する。
【０００５】
この発生した静電気は、遊技客やホール店員に帯電する。そして、これら遊技客やホール店員が、景品交換ＰＯＳや計数機等（以下、総称して「遊技周辺装置」という）を操作すると、その帯電していた静電気が、遊技周辺装置やホールコンピュータに悪影響を及ぼし、誤動作や故障の原因となる。
このため、従来から、静電気を除去する対策、たとえば、加湿器の設置や、ホール店員による静電気除去スプレーの吹き付けを行うなどの措置が講じられてきた。
【０００６】
【発明が解決しようとする課題】
しかしながら、静電気対策の一つとされる加湿器は、通常、比較的広い空間の湿度を高めるために用いられるものであるため、たとえば、空間に置かれた特定対象物（たとえば、ホールカウンタ）のみを集中的に加湿するには不向きであった。このため、特定対象物を加湿するために加湿器を設けたとしても、その周辺の空間全体までも加湿されることとなっていた。
【０００７】
そして、除去の対象である地上の静電気は、空間に浮遊した状態ではほとんど蓄積されないのに対し、物体に帯電すると蓄積され、さらに高電圧となることもあり、電気機器類に悪影響を及ぼす。つまり、静電気対策は、本来、物体に帯電した静電気を除去するために行うものである。
これらのことから、特定対象物だけでなくその空間をも加湿する加湿器は、静電気除去用としては効率が悪く、高い効果が得られなかった。
【０００８】
さらに、その加湿器は、遊技ホール内に設けられた場合も、静電気の帯電した遊技周辺装置等だけでなく、その周辺の空間全体をも加湿していた。
ところが、遊技ホール内は、空調設備により、湿度などの環境状態が、遊技に最適な状態に調整されている。
このことから、遊技ホールに加湿器を設置することは、湿度の調整された環境状態を損ねることとなっていた。
【０００９】
また、他の静電気対策であるホール店員による静電気除去スプレーの吹き付けは、特定対象物に帯電する静電気の除去には効果的であるものの、ホール店員が業務に多忙のあまりかけ忘れることも十分に考えられた。
このため、営業時間中、一定して静電気の抑制状態を持続させることができなかった。
【００１０】
これらの他、静電気対策としては、静電気除去手段を用いることが考えられる。
静電気除去手段とは、対象物の帯電量に応じた電気量のイオンを、その対象物へ供給することで除電を行う手段をいう。
この静電気除去手段を用いればスポット的に除電することも可能である。
ところが、営業時間中、機器類にイオンを当て続けることは、機器類の寿命を短くすることとなり、好ましくなかった。
【００１１】
本発明は、上記の事情にかんがみなされたものであり、ホールカウンタや遊技周辺装置等の寿命を維持しながら、効率的かつ効果的な静電気の除去を可能とするホールカウンタ用静電気除去装置の提供を目的とする。
【００１２】
【課題を解決するための手段】
この目的を達成するため、本発明の請求項１記載のホールカウンタ用静電気除去装置は、ホールカウンタ付近に位置する人及び／又は遊技周辺装置に帯電した静電気を、イオンの供給により除去する静電気除去手段と、ホールカウンタ付近に位置する人を検知する一又は二以上の接近物検知センサと、この接近物検知センサからの検知信号にもとづいて、静電気除去手段を動作させる制御手段とを有した構成としてある。
【００１３】
ホールカウンタ用静電気除去装置をこのような構成とすると、制御手段は、接近物検知センサの設置されたホールカウンタに遊技客やホール店員が近づいてくると、静電気除去手段を動作させて、その対象物の静電気を除去することができる。そして、遊技客等が遠のいたときは、静電気除去手段の動作を停止させることができる。
【００１４】
このため、必要な場合にのみ静電気除去手段を動作させることができ、効率的かつ効果的な静電気の除去が可能となる。
そして、制御手段が静電気除去手段を動作制御することで、必要以上にイオンの供給が行われなくなるため、遊技周辺装置の寿命を維持することができる。
【００１５】
また、請求項２記載のホールカウンタ用静電気除去装置は、遊技周辺装置が、ホールカウンタに設置された景品交換ＰＯＳ及び／又は遊技媒体計数機を含む構成としてある。
ホールカウンタ用静電気除去装置をこのような構成とすれば、特に、ホール店員の操作により静電気を帯びやすい景品交換ＰＯＳ等に対して、効率的かつ効果的な静電気の除去を可能とする。
【００１６】
また、請求項３記載のホールカウンタ用静電気除去装置は、静電気除去手段が、ホールカウンタ、このホールカウンタ付近に位置する人及び／又は遊技周辺装置の全体又は一部に対してイオンを供給する位置に設置された構成としてある。
ホールカウンタ用静電気除去装置をこのような構成とすると、ホールカウンタ、遊技客、ホール店員、遊技周辺装置等に帯電した静電気を、効率的かつ効果的に除去できる。
【００１７】
また、請求項４記載のホールカウンタ用静電気除去装置は、接近物検知センサが、ホールカウンタの前面及び／又は側面に設けられた構成としてある。
ホールカウンタ用静電気除去装置をこのような構成とすれば、遊技客やホール店員等がホールカウンタに近づいてきたことを確実に検知できる。このため、その遊技客等が運んできた静電気を確実に除去できる。
【００１８】
また、請求項５記載のホールカウンタ用静電気除去装置は、接近物検知センサが、赤外線センサなどの光センサからなる構成としてある。
ホールカウンタ用静電気除去装置をこのような構成とすると、赤外線センサなどの光センサが、ホールカウンタに近づいてくる遊技客等を確実に検知できるため、ホールカウンタで景品交換等が行われている間、静電気除去手段を動作させることができる。つまり、静電気の除去を効率的かつ確実に行うことができる。
【００１９】
また、請求項６記載のホールカウンタ用静電気除去装置は、制御手段が、検知信号を受けると、所定時間、静電気除去手段を動作させる構成としてある。
ホールカウンタ用静電気除去装置をこのような構成とすれば、遊技客がホールカウンタから離れた場合であっても、静電気が充分に除去されるまでは、静電気除去手段を動作させることができる。このため、効果的な静電気除去が可能となる。
【００２０】
また、請求項７記載のホールカウンタ用静電気除去装置は、制御手段が、静電気除去手段の動作を終了すると、少なくとも一定時間は静電気除去手段の動作を停止させる構成としてある。
ホールカウンタ用静電気除去装置をこのような構成とすると、頻繁に遊技客が往来して静電気除去手段が動作し続けることにより、長時間イオンが供給され続けて遊技周辺装置等の寿命が短くなるといった事態を回避できる。
【００２１】
【発明の実施の形態】
以下、本発明の実施の形態について、図面を参照して説明する。
［第一実施形態］
まず、本発明のホールカウンタ用静電気除去装置の第一の実施形態について、図１を参照して説明する。
同図は、本実施形態のホールカウンタ用静電気除去装置の構成を示すブロック図である。
【００２２】
同図に示すように、ホールカウンタ用静電気除去装置１は、接近物検知センサ１０と、制御手段２０と、静電気除去手段３０とを有している。
ここで、接近物検知手段１０は、赤外線センサなどに代表される光センサ（図示せず）で構成することができる。
【００２３】
赤外線センサは、検知距離が通常数ｃｍから数ｍ程度である。このため、特に、ホールカウンタ用静電気除去装置１をホールカウンタＡに設置して、このホールカウンタＡの付近に位置する人、たとえば、遊技客やホール店員等を検知する場合に適している。
この接近物検知手段１０は、接近物を検知すると、検知信号を出力する。
【００２４】
また、接近物検知センサ１０は、図２に示すように、一つ又は二つ以上設けることができる。
そして、接近物検知センサ１０は、遊技客の接近を検知可能な位置、たとえば、ホールカウンタＡの前面（カウンタ前面Ａ−１）や側面（カウンタ側面Ａ−２）に設けることができる。
【００２５】
制御手段２０は、接近物検知手段１０からの検知信号にもとづき、動作制御信号を静電気除去手段３０へ送って動作制御する。
この制御手段２０は、検知信号を受けている間だけ、静電気除去手段３０を動作させることもでき、また、検知信号を受けてから所定時間が経過するまで、静電気除去手段３０を動作させることもできる。
【００２６】
動作制御信号は、静電気除去手段３０の動作をＯＮ／ＯＦＦする信号である。
ただし、制御手段２０は、静電気除去手段３０の動作内容（動作時間、イオン量、ファン回転速度等）に関して指示する信号を、その動作制御信号に付加することもできる。
【００２７】
静電気除去手段３０は、対象物の帯電量に応じた電気量を有するイオン（通常は、マイナスイオンとプラスイオンとの一方又は双方を含む）を、その対象物へ供給する。このイオンの供給により、帯電された静電気が除去される。
たとえば、対象物において静電気が発生すると、プラスイオンの帯電圧が充電されて高電圧になる場合もある。この静電気は、放電場所があると、そこから放電される。また、対象物にマイナスイオンが供給されると、電気的に中性となる。
【００２８】
また、静電気除去手段３０には、図２に示すように、卓上設置型３０ａや、バー型３０ｂなどを用いることができる。
卓上設置型３０ａを用いた場合は、比較的狭い範囲（たとえば、遊技周辺装置など）の静電気を除去できる。
また、バー型３０ｂを用いた場合は、比較的広い範囲（たとえば、ホールカウンタ周辺や、このホールカウンタ付近に位置する人など）の静電気を除去できる。
【００２９】
さらに、静電気除去手段３０は、スポット的に除電する構造とすることもでき、これら卓上設置型３０ａ、バー型３０ｂ及びスポット型（図示せず）を併用することもできる。
そして、この静電気除去手段３０の動作（静電気除去手段３０が対象物へイオンを供給する動作）は、制御手段２０からの動作制御信号にもとづいて行われる。
【００３０】
イオン供給により静電気を除去する手段を静電気除去装置に設けることで、空調設備で調整された遊技ホール内の環境状態を損ねることなく、静電気除去が可能となる。
そして、制御手段２０により、静電気除去手段３０の動作が制御されるため、効率的かつ効果的な静電気除去が可能となる。
【００３１】
次に、本実施形態のホールカウンタ用静電気除去装置の動作について説明する。
接近物検知センサ１０において、接近物（たとえば、遊技客等）が検知されると、この接近物検知センサ１０から制御手段２０へ検知信号が送られる。
検知信号を受けた制御手段２０において、静電気除去手段３０へ動作制御信号が送られる。この動作制御信号を受けた静電気除去手段３０において、ホールカウンタに対する除電動作が開始される。
【００３２】
その後、接近物が離れることで、接近物検知センサ１０がその接近物を検知しなくなると、この接近物検知センサ１０から制御手段２０への検知信号の送出が停止する。
検知信号を受けなくなった制御手段２０において、静電気除去手段３０への動作制御信号の送出が停止される。これにより、静電気除去手段３０における除電動作が停止する。
【００３３】
このような動作によれば、ホールカウンタ用静電気除去装置は、ホールカウンタ付近に位置する人や遊技周辺装置に帯電した静電気を、効率的かつ効果的に除去できる。
そして、遊技周辺装置においては、静電気による悪影響が抑制されるため、その遊技周辺装置やホールコンピュータ等の誤動作又は故障の発生を減少させることができる。
【００３４】
さらに、遊技客等が近づいたときなど、必要な場合にのみ静電気除去動作が実行されるため、イオンが長時間供給されることがなくなる。
したがって、遊技周辺装置の寿命を維持することができ、さらに、静電気除去手段自体の寿命も延ばすことができる。
【００３５】
［第二実施形態］
次に、本発明のホールカウンタ用静電気除去装置の第二の実施形態について、図３を参照して説明する。
同図は、本実施形態のホールカウンタ用静電気除去装置の構成を示すブロック図である。
【００３６】
本実施形態は、第一実施形態と比較して、新たに、現在時刻をカウントする計時手段と所定時間データを記憶する記憶手段とを設けた点が相違する。他の構成要素は第一実施形態と同様である。
したがって、図３において、図１と同様の構成部分については同一の符号を付して、その詳細な説明を省略する。
【００３７】
図３に示すように、ホールカウンタ用静電気除去装置１は、接近物検知センサ１０と、制御手段２０と、静電気除去手段３０と、計時手段４０と、記憶手段５０とを有している。
ここで、計時手段４０は、現在時刻をカウントする。このカウントされた現在時刻は、制御手段２０へ送られる。
【００３８】
記憶手段５０は、所定時間データを記憶する。所定時間データとは、静電気除去手段３０の動作時間を示すデータをいう。
制御手段２０は、静電気除去手段３０の動作をＯＮ／ＯＦＦするとともに、その静電気除去手段３０の動作時間を制御する。
【００３９】
この静電気除去手段３０における静電気除去手段３０の動作時間の制御には、次のような制御がある。
たとえば、制御手段２０が、検知信号を受けてから所定時間が経過するまで、動作制御信号を送出して、静電気除去手段３０を動作させる制御がある。
【００４０】
この制御を実行する制御手段２０の動作手順は、次のような手順である。
制御手段２０は、接近物検知センサ１０から検知信号を受けると、記憶手段５０から所定時間データを取り出す。そして、静電気除去手段３０へ動作制御信号を送って動作を開始させる。
さらに、制御手段２０は、計時手段４０から逐次時刻を受け取りながら、動作制御信号を送り始めた時刻を開始時刻として、所定時間（所定時間データの示す時間）が経過したか否かを判断する。
【００４１】
判断の結果、経過していないときは、静電気除去手段３０への動作制御信号を送出を続行する。
一方、経過したときは、静電気除去手段３０への動作制御信号を送出を停止する。
【００４２】
ホールカウンタ用静電気除去装置に計時手段と記憶手段とを設けて、このような制御を実行することにより、静電気除去手段の動作を、所定時間行わせることができる。
そして、静電気の除去に十分な時間を所定時間データとして設定しておくことで、効率的に静電気除去手段を動作させることができる。
【００４３】
また、静電気除去手段３０における静電気除去手段３０の動作時間の制御には、他に、次のような制御がある。
たとえば、制御手段２０は、動作制御信号の送出を停止してから一定時間内は、検知信号を受けても、その動作制御信号を送出しないようにする制御がある。
【００４４】
この制御を実行する制御手段２０の動作手順は、次のような手順である。
予め、記憶手段５０には、一定時間データが記憶されている。
一定時間データとは、静電気除去手段３０の動作を強制的に停止させる時間（強制停止時間）を示すデータをいう。
【００４５】
制御手段２０は、静電気除去手段３０への動作制御信号の送出を停止すると、記憶手段５０から一定時間データを取り出す。
そして、制御手段２０は、計時手段４０から逐次現在時刻を受け取り、動作制御信号を停止してから一定時間（一定時間データの示す時間）が経過したか否かを判断する。
【００４６】
判断の結果、経過していないときは、接近物検知センサ１０から検知信号を受けても、制御手段２０は、静電気除去手段３０への動作制御信号の送出は行わない。
一方、経過したときは、接近物検知センサ１０から検知信号を受けると、静電気除去手段３０へ動作制御信号を送って動作制御する。
【００４７】
このような制御を実行することにより、遊技周辺装置へのイオンの供給が連続して長時間行われることを防止できるため、その遊技周辺装置の寿命を維持することができる。
さらに、遊技周辺装置においては、静電気による悪影響が抑制されるため、その遊技周辺装置やホールコンピュータ等の誤動作又は故障の発生を減少させることができる。
【００４８】
【発明の効果】
以上のように、本発明によれば、接近物検知センサにおいて遊技客等を検知している間だけ静電気除去手段を動作させることができるため、ホールカウンタにおける効率的かつ効果的な静電気の除去が可能となる。
また、静電気除去手段の動作を所定時間に限って行わせることで、十分に静電気を除去しつつ、遊技周辺装置の寿命を維持し、かつホールカウンタ用静電気除去装置自体の寿命を延ばすことができる。
【図面の簡単な説明】
【図１】本発明の第一実施形態におけるホールカウンタ用静電気除去装置の構成を示すブロック図である。
【図２】本発明の第一実施形態におけるホールカウンタ用静電気除去装置をホールカウンタに設けた様子を示す状態図である。
【図３】本発明の第二実施形態におけるホールカウンタ用静電気除去装置の構成を示すブロック図である。
【符号の説明】
１　ホールカウンタ用静電気除去装置
１０　接近物検知センサ
２０　制御手段
３０　静電気除去手段
４０　計時手段
５０　記憶手段
Ａ　ホールカウンタ
Ａ−１　カウンタ前面
Ａ−２　カウンタ側面
Ｂ　遊技周辺装置
Ｂ−１　景品交換ＰＯＳ
【図１】
2004073435.tif 000003
【図２】
2004073435.tif 000004
【図３】
2004073435.tif 000005